(57)【要約】【課題】レンチキュラーシートの角部を確実にカットさせる。【解決手段】レンチキュラーシート１０には、画像Ａ〜Ｄがプリントされており、画像毎に切り分けられる。レンチキュラーシート１０の各画像Ａ〜Ｄの角部には、切り落とすべき部位であることを示すために表示部１４ａ〜１４ｐが設けられており、表示部１４ａ〜１４ｐには切り落としを促すためのメッセージがプリントされている。また、表示部１４ａ〜１４ｐは、目立つように鮮やかな色に着色されている。さらに、レンチキュラーシート１０の前面、かつ、各表示部１４ａ〜１４ｐに対応する部位は、凹凸の無い平坦面となっている。【選択図】図１
2013073216.tif 000002
【特許請求の範囲】
【請求項１】
レンズが並べられることによって前面に凹凸が形成され、前記レンズを介して背後の画像を視認させるレンチキュラーシートにおいて、
当該レンチキュラーシートの前面、かつ、角部に設けられ、前記凹凸の無い平坦面を備えたことを特徴とするレンチキュラーシート。
【請求項２】
前記平坦面または前記平坦面の背後に、切り落とすべき部位である旨が表示された表示部を設けたことを特徴とする請求項１記載のレンチキュラーシート。
【請求項３】
当該レンチキュラーシートは、背後に複数の画像がプリントされ、各画像毎に複数に切り分けられるとともに、
前記平坦面は、当該レンチキュラーシートの前面、かつ、各画像の角部に設けられることを特徴とする請求項１または２記載のレンチキュラーシート。
【請求項４】
レンズが並べられることによって前面に凹凸が形成され、前記レンズを介して背後の画像を視認させるレンチキュラーシートに対して加工を施すシート加工装置において、
前記レンチキュラーシートの前面、かつ、角部に、前記凹凸の無い平坦面を形成する平坦面形成手段を備えたことを特徴とするシート加工装置。
【請求項５】
前記平坦面または前記平坦面の背後に、切り落とすべき部位である旨を表示することによって表示部を形成する表示部形成手段を設けたことを特徴とする請求項４記載のシート加工装置。
【請求項６】
前記レンチキュラーシートは、背後に複数の画像がプリントされ、各画像毎に複数に切り分けられるとともに、
前記平坦面形成手段は、当該レンチキュラーシートの前面、かつ、各画像の角部に、前記平坦面を形成することを特徴とする請求項４または５記載のレンチキュラーシート。
【請求項７】
前記平坦面形成手段は、前記レンチキュラーシートを加熱して押圧することによって前記平坦面を形成することを特徴とする請求項４〜６いずれか記載のシート加工装置。
【請求項８】
前記平坦面形成手段は、前記凹凸の凹部を埋めることによって前記平坦面を形成することを特徴とする請求項４〜６いずれか記載のシート加工装置。
【請求項９】
前記平坦面形成手段は、前記凹凸の凹部を埋めるとともに、前記レンチキュラーシートを加熱して押圧することによって前記平坦面を形成することを特徴とする請求項４〜６いずれか記載のシート加工装置。
【請求項１０】
前記レンチキュラーシートの凹凸面と前記平坦面との境界部分の角を平滑化する平滑化手段を設けたことを特徴とする請求項４〜９いずれか記載のシート加工装置。
【請求項１１】
請求項４〜１０いずれか記載のシート加工装置と、
前記画像を前記レンチキュラーシートの背面にプリントする印画装置とを備えたことを特徴とするプリンタ。
【請求項１２】
前記印画装置は、前記平坦面または前記平坦面の背後に、切り落とすべき部位である旨を表示することを特徴とする請求項１１記載のプリンタ。
【請求項１３】
前記画像のうち前記表示部近傍の画像の色を判別する色判別手段を備え、
前記印画装置は、前記色判別手段によって判別された色とは補色関係をなす色で、前記平坦面または前記平坦面の背後を、着色することを特徴とする請求項１１または１２記載のプリンタ。
【発明の詳細な説明】
【技術分野】
【０００１】
本発明は、蒲鉾型のレンズが並べられることによって前面に凹凸が形成され、前記レンズを介して背後の画像を視認させるレンチキュラーシートや、このようなレンチキュラーシートに加工を施すシート加工装置、及び、このようなシート加工装置を備えたプリンタに関するものである。
【背景技術】
【０００２】
蒲鉾型のレンズが並べられることによって前面に凹凸が形成され、前記レンズを介して背後の画像を視認させるレンチキュラーシートが広く知られている。このようなレンチキュラーシートを用いることで、観察角度によって異なる画像を視認させることができ、立体視を可能としたり、動きのある画像を視認させることができる。
【０００３】
前述のように、レンチキュラーシートは、蒲鉾型のレンズが左右方向に並べられているので、通常のプリント用紙などと比較して厚くまた硬い。このため、レンチキュラーシートの角が尖っていると、触れた際に怪我をしてしまう。
【０００４】
上述のような問題を防止するために、下記特許文献１では、コーナ部を丸くカットしている。また、下記特許文献２では、危険を報知するための表示を設けている。さらに下記特許文献３に記載されているように、切り取るべき部位にその旨を表示する技術も知られている。
【先行技術文献】
【特許文献】
【０００５】
【特許文献１】実願平１１−００４０７０
【特許文献２】特開平１１−２６２１２３
【特許文献３】特開２００６−２９０３６６
【発明の概要】
【発明が解決しようとする課題】
【０００６】
しかしながら、上記特許文献１記載の方法では、コーナ部を丸くカットするためのカッターや、画像に合わせてカッターを駆動制御するための装置などが必要でありコストが高くなってしまうといった問題がある。
【０００７】
また、上記特許文献２記載の方法では、危険を報知するだけで危険自体の除去はできない。さらに、レンチキュラーシートの前面には凹凸があるので表示を設けることが難しい。また、レンチキュラーシートは、角度によって異なる画像を視認させるものなので、レンチキュラーシートの背後に表示を設けても視認し難い。
【０００８】
さらに、上記特許文献３記載の方法では、危険自体の除去を促すことも可能であるが、上記特許文献２記載の方法と同様に、レンチキュラーシートの前面には表示を設けることが難しく、また、レンチキュラーシートの背面に表示を設けても視認し難い。
【０００９】
本発明は、上記背景を鑑みてなされたものであり。コストをかけず、角部の除去を確実に促せるレンチキュラーシートや、このようなレンチキュラーシートに加工を施すシート加工装置、及び、このようなシート加工装置を備えたプリンタを提供することを目的としている。
【課題を解決するための手段】
【００１０】
上記目的を達成するために、本発明のレンチキュラーシートは、レンズが並べられることによって前面に凹凸が形成され、前記レンズを介して背後の画像を視認させるレンチキュラーシートにおいて、当該レンチキュラーシートの前面、かつ、角部に設けられ、前記凹凸の無い平坦面を備えたことを特徴としている。
【００１１】
前記平坦面または前記平坦面の背後に、切り落とすべき部位である旨が表示された表示部を設けてもよい。
【００１２】
当該レンチキュラーシートは、背後に複数の画像がプリントされ、各画像毎に複数に切り分けられるとともに、前記平坦面は、当該レンチキュラーシートの前面、かつ、各画像の角部に設けられるものでもよい。
【００１３】
また、本発明のシート加工装置は、レンズが並べられることによって前面に凹凸が形成され、前記レンズを介して背後の画像を視認させるレンチキュラーシートに対して加工を施すシート加工装置において、前記レンチキュラーシートの前面、かつ、角部に、前記凹凸の無い平坦面を形成する平坦面形成手段を備えたことを特徴としている。
【００１４】
前記平坦面または前記平坦面の背後に、切り落とすべき部位である旨を表示することによって表示部を形成する表示部形成手段を設けてもよい。
【００１５】
前記レンチキュラーシートは、背後に複数の画像がプリントされ、各画像毎に複数に切り分けられるとともに、前記平坦面形成手段は、当該レンチキュラーシートの前面、かつ、各画像の角部に、前記平坦面を形成するものでもよい。
【００１６】
前記平坦面形成手段は、前記レンチキュラーシートを加熱して押圧することによって前記平坦面を形成するものでもよい。
【００１７】
前記平坦面形成手段は、前記凹凸の凹部を埋めることによって前記平坦面を形成するものでもよい。
【００１８】
前記平坦面形成手段は、前記凹凸の凹部を埋めるとともに、前記レンチキュラーシートを加熱して押圧することによって前記平坦面を形成するものでもよい。
【００１９】
前記レンチキュラーシートの凹凸面と前記平坦面との境界部分の角を平滑化する平滑化手段を設けてもよい。
【００２０】
また、本発明のプリンタは、上述したシート加工装置と、前記画像を前記レンチキュラーシートの背面にプリントする印画装置とを備えたことを特徴としている。
【００２１】
前記印画装置は、前記平坦面または前記平坦面の背後に、切り落とすべき部位である旨を表示するものでもよい。
【００２２】
前記画像のうち前記表示部近傍の画像の色を判別する色判別手段を備え、前記印画装置は、前記色判別手段によって判別された色とは補色関係をなす色で、前記平坦面または前記平坦面の背後を、着色するものでもよい。
【発明の効果】
【００２３】
本発明によれば、レンチキュラーシートの角部に平坦面を設けたので、この部分を切り落とせばよい旨がユーザーに伝わりやすい。また、レンチキュラーシートの角部をユーザーに切り落とさせるようにしたので、装置側で角部をカットする場合と比較してコストを抑えることができる。
【００２４】
また、平坦面（または平坦面の背後）に切り落とすべき部位である旨を表示した表示部を設ければ、より確実に角部の除去を促すことができる。さらに、この場合、表示部の表示を平坦面を介して観察するので視認し易い。
【図面の簡単な説明】
【００２５】
【図１】レンチキュラーシートを前面側から観察した状態を示す説明図である。
【図２】レンチキュラーシートの前面に平坦面が形成されていることを示す説明図である。
【図３】プリンタの概略的な構成を示す構成図である。
【図４】押圧部の形状を示す説明図である。
【図５】凹凸面と平坦面との境界に平滑面が形成されている様子を示す説明図である。
【図６】凹凸面と平坦面との境界に平滑面が形成されている様子を示す説明図である。
【発明を実施するための形態】
【００２６】
初めに、本発明のレンチキュラーシートについて説明する。図１において、レンチキュラーシート１０は、上下方向に長い蒲鉾型のレンズを左右方向に並べたものであり（図４参照）、ＰＥＴなど透明な材料から形成されている。レンチキュラーシート１０の前面には、前述したレンズにより凹凸が形成されており（図２参照）、レンチキュラーシート１０の背面には、前述のレンズを介して観察した際に立体画像として視認されるように画像Ａ〜Ｄがプリントされている。
【００２７】
また、レンチキュラーシート１０には、切り取り線１２と、表示部１４ａ〜１４ｐとが設けられている。切り取り線１２は、画像Ａ〜Ｄの境界に沿って設けられており、レンチキュラーシート１０を画像毎のシートに切り分ける際にハサミやカッターを入れる部位であることを指し示すものである。切り取り線１２は、例えば、レンチキュラーシート１０の背面にプリントされている。
【００２８】
表示部１４ａ〜１４ｄは画像Ａの４隅に、表示部１４ｅ〜ｈは画像Ｂの４隅に、表示部１４ｉ〜１４ｌは画像Ｃの４隅に、表示部１４ｍ〜ｐは画像Ｄの４隅にそれぞれに設けられている。これら、表示部１４ａ〜１４ｐは、レンチキュラーシート１０から切り落とすべき部位であることを指し示すものである。表示部１４ａ〜１４ｐには、切り落としを促すためのメッセージとして「危」の文字が、例えば、レンチキュラーシート１０の背面にプリントされている。また、表示部１４ａ〜１４ｐは、目立つように鮮やかな色（原色など）に着色されている。
【００２９】
さらに、図２に示すように、レンチキュラーシート１０の前面、かつ、各表示部１４ａ〜１４ｐに対応する部位は、前述した凹凸の無い平坦面２０となっている。この平坦面２０は、例えば、伝熱コテなどによってレンチキュラーシート１０の前面を熱しながら押圧し、前述した凹凸の凸部を溶かし潰すことによって形成される。
【００３０】
このレンチキュラーシート１０は、例えば、３Ｄカメラで撮影された画像のプリントを依頼されたカメラ店が、画像Ａ〜Ｄ、切り取り線１２、表示部１４ａ〜１４ｐのメッセージのプリント、表示部１４ａ〜１４ｐの着色、及び、平坦面２０の形成を行った後、画像のプリントを依頼したユーザーにプリント料金と引き替えに提供される。ユーザーは、提供されたレンチキュラーシート１０を切り取り線１２に沿って画像毎に切り分けて画像毎のシートに分離した後、各シートの表示部１４ａ〜１４ｐを切り落とす。
【００３１】
レンチキュラーシート１０は、ユーザーによって画像毎のシートに切り分けられるので、カメラ店などが切断するための設備を有している必要がなく、コストを抑えることができる。また、カットの時間も節約できるので、提供までの時間を短縮できる。また、切り取り線１２を設けたので、切り分ける際に便利である。さらに、表示部１４ａ〜１４ｐを設け、切り落とさせるようにしたので、シートの角部による怪我などを防止できる。
【００３２】
また、表示部１４ａ〜１４ｐにメッセージをプリントしたり、表示部１４ａ〜１４ｐを目立つ色で着色したので、確実に切り取りを促すことができる。さらに、表示部１４ａ〜１４ｐに対応する位置の凹凸をなくして平坦面２０としたので、メッセージが読みにくいといったこともない。また、切り落とす部分が平坦なので、切り落としが容易である。
【００３３】
次に、レンチキュラーシート１０に対して、画像Ａ〜Ｄ、切り取り線１２、表示部１４ａ〜１４ｐのメッセージのプリント、表示部１４ａ〜１４ｐの着色、及び、平坦面２０の形成を行う本発明のプリンタについて説明を行う。
【００３４】
図３に示すように、プリンタ３０は、加工装置３２と、印画装置３４とを備えている。プリンタ３０は、図示しない搬送機構によりレンチキュラーシート１０を長手方向に沿って搬送し、加工装置３２及び印画装置３４を通過させることによって表示部１４ａ〜１４ｐや平坦面２０を形成するとともに画像Ａ〜Ｄのプリントを行う。
【００３５】
加工装置３２には、伝熱コテ３６と、伝熱コテ３６を加熱するヒータ３８とこれらを駆動制御する加工制御部４０が設けられている。伝熱コテ３６は、上下（レンチキュラーシート１０に近づく方向と遠ざかる方向）に移動自在に設けられている。加工制御部４０は、伝熱コテ３６をヒータ３８で加熱し、レンチキュラーシート１０の前面に押し当てる。これにより、レンチキュラーシート１０の前面の凸部が溶け潰れて平坦面２０が形成される。
【００３６】
伝熱コテ３６を上方から観察した図４に示すように、伝熱コテ３６は、レンチキュラーシート１０に押し当てられる押圧部３６ａ〜３６ｃを備えている。押圧部３６ａと押圧部３６ｃは、レンチキュラーシート１０の側部に沿う底辺とレンチキュラーシート１０の幅方向中央へ向けられた頂点とを有する直角２等辺三角形状に形成されている。また、押圧部３６ｂは、各辺がレンチキュラーシート１０の搬送方向に対して４５°傾けられた正方形状に形成されている。
【００３７】
そして、加工制御部４０は、レンチキュラーシート１０の先端部分が押圧部３６ａ〜３６ｃの左右方向の中間の位置まで搬送された際に、ヒータ３８により加熱した伝熱コテ３６をレンチキュラーシート１０へ向けて移動させ、押圧部３６ａ〜３６ｃの右半分の領域をレンチキュラーシート１０に押し当てることによって、表示部１４ａ、１４ｂ、１４ｅ、１４ｆに対応する平坦面２０を形成する。
【００３８】
同様に、加工制御部４０は、レンチキュラーシート１０の中央部が押圧部３６ａ〜３６ｃの下方まで搬送された際に、押圧部３６ａ〜３６ｃの全部の領域をレンチキュラーシート１０に押し当てることによって、表示部１４ｃ、１４ｄ、１４ｇ、１４ｈ、１４ｉ、１４ｊ、１４ｍ、１４ｎに対応する平坦面２０を形成する。さらに、加工制御部４０は、レンチキュラーシート１０の後端部が押圧部３６ａ〜３６ｃ左右方向の中間の位置まで搬送された際に、押圧部３６ａ〜３６ｃの左半分の領域をレンチキュラーシート１０に押し当てることによって、表示部１４ｋ、１４ｌ、１４ｏ、１４ｐに対応する平坦面２０形成する。
【００３９】
図２に戻り、印画装置３４は、周知の昇華型のインクフイルム４２、インクフイルム４２をレンチキュラーシート１０の背面に押し当てる印画位置とレンチキュラーシート１０の背面から離間された待機位置との間で移動自在のサーマルヘッド４４、これら印画装置３４の各部を駆動制御する印画制御部４６とを備えている。印画制御部４６は、サーマルヘッド４４を印画位置へ移動させ、この状態でサーマルヘッド４４を加熱することによりレンチキュラーシート１０の背面に切り取り線１２、表示部１４ａ〜１４ｐのメッセージ、画像Ａ〜Ｄをプリントするとともに、表示部１４ａ〜１４ｐを着色する。
【００４０】
また、印画制御部４６には、表示部１４ａ〜１４ｐの着色の際の色を決定する色決定部４８が設けられている。なお、色決定部４８は、表示部１４ａ〜１４ｐそれぞれについて個別に色を決定するが、各表示部１４ａ〜１４ｐの色の決定手順は同様なので、以下では、これら表示部１４ａ〜１４ｐを代表して表示部１４ａの色の決定手順について説明を行う。
【００４１】
色決定部４８には、複数の色と、これら各色に対して補色となる色とが対応付けされた対応表、すなわち、色相環（図示せず）が記憶されている。そして、色決定部４８は、表示部１４ａに対応する画像Ａの左上の領域について画像解析を行い、この領域の画像の色合いが、色相環のいずれに属するかを判定し、この領域の画像の色合いと補色となる色を表示部１４ａの色として決定する。そして、表示部１４ａは、決定された色で着色される。
【００４２】
同様に、表示部１４ｂ〜１４ｐについても、各表示部１４ｂ〜１４ｐの近傍の画像の色合いと補色となるように色が決定されて着色される。これにより、例えば、表示部が青色の空の近傍に設けられている場合は黄色に着色され、表示部が緑色の植物の近傍の設けられている場合は、ピンクに着色される。こうすることで、表示部が目立ち、切り落とす部位である旨を確実に報知できる。
【００４３】
なお、プリンタ３０では、表示部毎に個別に色を決定する例で説明をしたが、全ての表示部を同色で着色してもよい。この場合は、鮮やかな目立つ色（例えば、原色など）で着色することが好ましい。また、表示部の色と表示部のメッセージの色とが補色関係となるように表示部のメッセージの色を決定し、この色でメッセージをプリントしてもよい。
【００４４】
また、上記実施形態では、プリンタに加工装置を内蔵する例で説明をしたが、プリンタと加工装置とを別体に設けてもよい。
【００４５】
さらに、上記実施形態では、印画装置を用いて切り取り線や表示部のメッセージをプリントしたり表示部を着色する例で説明をしたが、加工装置に例えばサーマルヘッドやインクフイルムなどを設け、加工装置で切り取り線や表示部のメッセージをプリントしたり表示部を着色してもよい。
【００４６】
また、上記実施形態では、表示部に対応する位置に平坦面を形成する例で説明をしたが、切り取り線に対応する部分にも平坦面を形成してもよい。こうすることによって、切り取り線がレンズの影響を受けずに見やすくなるとともに、凹凸が無いので切り離す際に便利である。
【００４７】
さらに、上記実施形態では、レンチキュラーシートの背面側から、切り取り線や表示部のメッセージをプリントしたり着色する例で説明をしたが、本発明はこれに限定されるものではない。レンチキュラーシートに平坦面を形成した後、この平坦面（すなわち、レンチキュラーシートの前面側）に、切り取り線や表示部のメッセージをプリントしたり着色してもよい。
【００４８】
また、上記実施形態では、レンチキュラーシートの前面の凸部を加熱して溶かし潰すことによって平坦面を形成する例で説明をしたが、凸部を削って平坦面を形成してもよい。また、熱や空気、光などにより硬化する透明な硬化材料（レンチキュラーシートの材料と同じ材料であることが好ましい）によりレンチキュラーシートの前面の凹部を埋めることによって平坦面を形成してもよい。もちろん、凹部を埋めることと、凸部を溶かし潰す（または削る）こととを併用して平坦面を形成してもよい。
【００４９】
さらに、上記実施形態では、画像のコーナ部分を直線的に切り落とすように三角形状の表示部を設ける例で説明をしたが、表示部は、切り落とすことにより怪我を防止できればよいので、形状は上記実施形態に限定されず適宜変更できる。例えば、画像のコーナ部分を円弧状に切り落とすように表示部を設けてもよい。
【００５０】
また、上記実施形態では、表示部のメッセージとして、「危」の文字をプリントする例で説明をしたが、例えば、メッセージとして「切」、「カット」、「切断」、「！」などの文字（マーク）をプリントするといったように、メッセージの内容は適宜変更できる。また、表示部にメッセージをプリントすることと、表示部を着色することとの両方を行う例で説明をしたが、これらの一方のみを行うようにしてもよい。
【００５１】
さらに、上記実施形態では、レンチキュラーシートに４つの画像がプリントされている例で説明をしたが、レンチキュラーシートにプリントする画像の数は適宜変更できる。また、レンチキュラーシートの背面に画像をプリントする例で説明をしたが、画像がプリントされた画像シートをレンチキュラーシートの背面に貼り付けるようにしてもよい。もちろん、前述した画像シートに対して、切り取り線や表示部のメッセージをプリントしたり表示部の着色を行ってもよい。
【００５２】
また、上記実施形態では、レンチキュラーシートの角部に平坦面と表示部との両方を設ける例で説明をしたが、平坦面のみを設けてもよい。さらに、レンチキュラーシートの全ての角部に平坦面を設ける例で説明をしたが、平坦面は切り落とすべき部位に形成すればよいので、平坦面を設けない角部があってもよい。同様に、レンチキュラーシートにプリントされた画像の全ての角部に平坦面を設ける例で説明をしたが、平坦面を設けない角部があってもよい。
【００５３】
また、平坦面を形成しても、凹凸面と平坦面との間の境界部が尖っていると、この部分で怪我をしてしまう恐れがある。このため、例えば、図５、図６に示すように、凹凸面５０と平坦面２０との境界部分をなだらかに接続する平滑面５２や平坦面５４を設ける平滑化処理を行ってもよい。このような平滑面は、例えば、凹凸面と平坦面との境界部分に形成された角を、溶かし潰す（または削る）ことによって形成できる。もちろん、平坦面を形成する伝熱コテに平滑面を形成する部位を一体に形成し、平坦面と同時に平滑面を形成してもよい。また、硬化性材料で凹凸面と平坦面との境界部分に形成された角を覆うことによって平滑面を形成してもよい。さらに、平滑面は、凹凸面と平坦面をなだらかに接続できればよいので、平面である必要はなく曲面であってもよい。なお、図５、６では、前述した実施形態と同様の部材については同様の符号を付して説明を省略している。
【符号の説明】
【００５４】
１０  レンチキュラーシート
１２  切り取り線
１４ａ〜ｐ  表示部
２０  平坦面
３０  プリンタ
３２  加工装置
３４  印画装置
３６  伝熱コテ
３６ａ〜ｃ  押圧部
３８  ヒータ
４０  加工制御部
４２  インクフイルム
４４  サーマルヘッド
４６  印画制御部
４８  色決定部
５０  凹凸面
５２、５４  平滑面
【図１】
2013073216.tif 000003
【図２】
2013073216.tif 000004
【図３】
2013073216.tif 000005
【図４】
2013073216.tif 000006
【図５】
2013073216.tif 000007
【図６】
2013073216.tif 000008